(57)【要約】      （修正有）【課題】商用電源を使用できない場所では、予め商用電源から充電された二次電池から携帯電子機器の内蔵二次電池の充電を可能とした、携帯性に優れた充電システムを提供する。【解決手段】電池収容ケースと、商用電源からの交流電圧を直流電圧に変換する充電器本体と、携帯電子機器の内蔵二次電池の電池電圧を検出して、電池収容ケース内の二次電池からの出力電圧を携帯電子機器の内蔵二次電池の充電許容電圧に変更する出力調整器とを備える。電池収容ケースは、選択的に充電器本体または出力調整器に取り付けられる。電池収容ケース内の二次電池は、電池収容ケースの接続インターフェースと、充電器本体の接続インターフェースとを嵌合することで充電される。携帯電子機器の内蔵二次電池は、電池収容ケースの接続インターフェースと、出力調整器の接続インターフェースとを嵌合し、出力調整器の充電用接続端子と電気的に接続することで充電される。【選択図】図１
0003130892.tif 000002
【実用新案登録請求の範囲】
【請求項１】
携帯電子機器の内蔵二次電池を充電するための充電システムであって、
二次電池を収容する電池収容部と、第一の接続インターフェースとを有する電池収容ケースと、
商用電源からの交流電圧を直流電圧に変換する充電器本体であって、前記第一の接続インターフェースと嵌合させて前記電池収容ケースに収容される前記二次電池と電気的に接続するための第二の接続インターフェースを有する充電器本体と、
前記携帯電子機器の内蔵二次電池の電池電圧を検出して、前記電池収容ケースに収容される前記二次電池からの出力電圧を、前記携帯電子機器の内蔵二次電池の充電許容電圧に変更する出力調整器であって、前記第一の接続インターフェースと嵌合させて前記電池収容ケースに収容される前記二次電池と電気的に接続するための第三の接続インターフェースと、前記携帯電子機器の内蔵二次電池と電気的に接続するための充電用接続端子とを有する出力調整器と
を備え、前記第二の接続インターフェース及び前記第三の接続インターフェースは、前記第一の接続インターフェースと選択的に嵌合されることを特徴とする充電システム。
【請求項２】
前記充電器本体は、前記携帯電子機器の内蔵二次電池と電気的に接続するための充電用接続端子をさらに有することを特徴とする請求項１に記載の充電システム。
【請求項３】
前記出力調整器は、前記充電用接続端子を２つ有することを特徴とする請求項１に記載の充電システム。
【考案の詳細な説明】
【技術分野】
【０００１】
本考案は、携帯電話や携帯ゲーム機等の携帯電子機器に対して充電を行う充電システムに関する。
【背景技術】
【０００２】
携帯電話、携帯ゲーム機、またはデジタルカメラといった携帯電子機器は、電源としてリチウム電池やニッカド電池などの二次電池である充電可能な電池を内蔵している。これら携帯電子機器の内蔵電池の残量が少なくなった場合に使用する充電器として、自宅等の所定の場所において、商用電源に接続して使用する専用充電器と、外出先などにおいて、商用電源に接続できない場合に使用する携帯型充電器とが挙げられる。
【０００３】
後者の携帯型充電器として、例えば、市販の単三型乾電池（一次電池）と、各種携帯電子機器用の充電用接続コネクタとを用いて、携帯電子機器の内蔵二次電池を充電するものが広く知られている。
【考案の開示】
【考案が解決しようとする課題】
【０００４】
しかしながら、前者の専用充電器で対応する携帯電子機器を充電する場合には、各種の専用充電器を持ち歩かなければならないため、携帯電子機器のユーザにとっては非常に不便である。また、後者の携帯型充電器を用いて携帯電子機器を充電する場合には、一次電池がなくなるたびに、一次電池を購入しなければならないため、資源の浪費になりかねない。
【０００５】
そこで、本考案は、上述の点に鑑みて、商用電源を用いることができない場所では、予め商用電源を用いて充電しておいた二次電池から、各種携帯電子機器の内蔵二次電池の充電を可能とした、携帯性に優れた充電システムを提供することを目的とする。
【課題を解決するための手段】
【０００６】
このような目的を達成するために、請求項１に記載の考案は、携帯電子機器の内蔵二次電池を充電するための充電システムであって、二次電池を収容する電池収容部と、第一の接続インターフェースとを有する電池収容ケースと、商用電源からの交流電圧を直流電圧に変換する充電器本体であって、前記第一の接続インターフェースと嵌合させて前記電池収容ケースに収容される前記二次電池と電気的に接続するための第二の接続インターフェースを有する充電器本体と、前記携帯電子機器の内蔵二次電池の電池電圧を検出して、前記電池収容ケースに収容される前記二次電池からの出力電圧を、前記携帯電子機器の内蔵二次電池の充電許容電圧に変更する出力調整器であって、前記第一の接続インターフェースと嵌合させて前記電池収容ケースに収容される前記二次電池と電気的に接続するための第三の接続インターフェースと、前記携帯電子機器の内蔵二次電池と電気的に接続するための充電用接続端子とを有する出力調整器とを備え、前記第二の接続インターフェース及び前記第三の接続インターフェースは、前記第一の接続インターフェースと選択的に嵌合されることを特徴とする。
【０００７】
請求項２に記載の考案は、請求項１に記載の充電システムであって、前記充電器本体は、前記携帯電子機器の内蔵二次電池と電気的に接続するための充電用接続端子をさらに有することを特徴とする。
【０００８】
請求項３に記載の考案は、請求項１に記載の充電システムであって、前記出力調整器は、前記充電用接続端子を２つ有することを特徴とする。
【考案の効果】
【０００９】
本考案によれば、商用電源を用いることができない場所でも、予め商用電源を用いて充電しておいた二次電池から各種携帯電子機器の内蔵二次電池を充電することが可能となり、一次電池の浪費を回避することができる。
【考案を実施するための最良の形態】
【００１０】
図面を参照しながら、本考案の実施形態を説明する。    
図１は、本考案の実施形態にかかる充電システム１００の説明図である。充電システム１００は、電池収容ケース２００と、充電器本体３００と、出力調整器４００とを備える。電池収容ケース２００は、機械的連結用のフック等を介して、充電器本体３００、または、出力調整器４００に選択的に取り付けることができ、また、後述する接続インターフェースを介して、充電器本体３００または出力調整器４００と電気的に接続することができる。
【００１１】
図２は、電池収容ケース２００を示す正面からの斜視図である。電池収容ケース２００は、後述する充電器本体３００を用いて、収容された二次電池に対して充電を行うか、または、後述する出力調整器４００を用いて、収容された二次電池を充電源として、携帯電子機器の内蔵二次電池の充電を行うためのものである。
【００１２】
電池収容ケース２００の前面下部には、電池収容部２０１ａ〜２０１ｄが設けられている。電池収容部２０１ａ〜２０１ｄには、後述するように、充電するためか、または、充電源として用いるために、二次電池２０２が収容される。本実施形態では、電池収容部２０１には、単三型ニッカド水素電池が４本収容される。しかしながら、収容される二次電池は、単三型に限定されるものではなく、単一型、単二型、または単四型等としてもよく、その数も４本に限定されるものではない。また、二次電池２０２としては、ニッケルカドミウム電池やニッケルマンガン電池を用いてもよい。
【００１３】
電池収容ケース２００の前面上部には、スイッチ２０３ａ〜２０３ｄが設けられている。スイッチ２０３ａ〜２０３ｄは、電池収容部２０１ａ〜２０１ｄに二次電池を収容した際に、対応する二次電池に対して充電を行うか否か、または、対応する二次電池を充電源として用いるか否かを選択するために、オンオフが切り替えられる。
【００１４】
電池収容部２０１ａ〜２０１ｄを覆うように透明の保護カバー２０４が設けられている。保護カバー２０４を図面下方向にスライドさせることにより、二次電池２０２を電池収容部２０１ａ〜２０１ｄに対して着脱することができる状態となり、保護カバー２０４を図面上方向にスライドさせることにより、収容した二次電池２０２が電池収容部２０１ａ〜２０１ｄから取り外されないよう保護される。
【００１５】
各電池収容部２０１ａ〜２０１ｄ上部には、収容される二次電池２０２のプラス極に接続されるプラス端子（図示せず）が、各電池収容部２０１ａ〜２０１ｄ下部には、その二次電池２０２のマイナス極に接続されるマイナス端子（２０７ａ、２０７ｂにより一部図示）が設けられている。
【００１６】
電池収容ケース２００の上面には、凸型の接続インターフェース２０５が設けられている。接続インターフェース２０５は、所定の間隔で並べられた８個の矩形状コネクタ端子から形成され、各矩形状コネクタ端子は、各電池収容部２０１ａ〜２０１ｄの上下に設けられたプラス端子またはマイナス端子に対応する。
【００１７】
図３は、充電器本体３００を示す説明図であり、（ａ）は側面からの斜視図、（ｂ）は背面からの斜視図を示している。充電器本体３００は、商用電源からの交流電圧を直流電圧に変換して、前述した電池収容ケース２００に収容された二次電池の充電を行うか、または、携帯電子機器の内蔵二次電池の充電を行うためのものである。
【００１８】
充電器本体３００の前面には、レンズ３０１ａ〜３０１ｄが設けられている。レンズ３０１ａ〜３０１ｄは、電池収容ケース２００の電池収容部２０１ａ〜２０１ｄに収容された二次電池２０２の充電を行っている際に、対応する箇所に収容された二次電池２０２の充電状況を知らせるものである。充電器本体３００内部に備えられた充電完了検出回路に担持された発光ダイオード（ＬＥＤ）を介して、二次電池２０２の充電状況が視認される。
【００１９】
充電器本体３００の背面には、ＡＣプラグ３０２が設けられている。ＡＣプラグ３０２は商用電源に接続される。
【００２０】
充電器本体３００の底面には、凹型の接続インターフェース３０５と、携帯電子機器の内蔵二次電池を充電するための充電用接続端子３０６（例えば、ピン端子）とが設けられている。接続インターフェース３０５は、所定の間隔で並べられた８個の凹部と、９個の突出部とを有し、凹部を形成する突出部の両内壁には不図示の矩形状コネクタ端子（計１６個）が設けられている。充電器本体３００の接続インターフェース３０５と、電池収容ケース２００の接続インターフェース２０５とを嵌合することにより、充電器本体３００と、電池収容ケース２００（すなわち、電池収容部２０１ａ〜２０１ｄに収容された二次電池２０２）とが電気的に接続されることになる。充電用接続端子３０６には、後述するケーブル５００の一端に設けられたプラグ５０１が接続される。
【００２１】
図４は、出力調整器４００を示す説明図であり、（ａ）は正面からの斜視図、（ｂ）は側面からの斜視図を示している。出力調整器４００は、充電しようとしている携帯電子機器の内蔵二次電池の電池電圧を検出して、前述した電池収容ケース２００に収容された二次電池からの出力電圧を、携帯電子機器の内蔵二次電池の充電許容電圧に変更するものである。
【００２２】
出力調整器４００の上面には、携帯電子機器の内蔵二次電池を充電するための、２つの充電用接続端子４０６ａ、４０６ｂ（例えば、ピン端子）が設けられている。出力調整器４００に充電用接続端子を２つ設けたことにより、２つの携帯電子機器の内蔵二次電池を同時に充電することが可能となる。充電用接続端子４０６ａ、４０６ｂには、後述するケーブル５００の一端に設けられたプラグ５０１が接続される。本実施形態では、出力調整器４００の上面に設けられた、充電用接続端子４０６ａ、４０６ｂを介して携帯電子機器の内蔵二次電池の充電を行うが、出力調整器４００の上面に、携帯電子機器に設けられた内蔵二次電池を充電するためのコネクタの形状に合わせた充電用接続端子（後述する充電用接続アダプタ５５０のコネクタ５５２と同一のもの）を設けてもよい。
【００２３】
出力調整器４００の底面には、凹型の接続インターフェース４０５が設けられている。接続インターフェース４０５は、所定の間隔で並べられた８個の凹部と、９個の突出部とを有し、凹部を形成する突出部の両内壁には不図示の矩形状コネクタ端子（計１６個）が設けられている。出力調整器４００の接続インターフェース４０５と、電池収容ケース２００の接続インターフェース２０５とを嵌合することにより、出力調整器４００と、電池収容ケース２００（すなわち、電池収容部２０１ａ〜２０１ｄに収容された二次電池２０２）とが電気的に接続されることになる。出力調整器４００の接続インターフェース４０５及び充電用接続端子４０６ａ、４０６ｂは、充電器本体３００の接続インターフェース３０５及び充電用接続端子３０６と同一のものである。
【００２４】
出力調整器４００の内部には、出力調整回路が備えられている。前述したように、この出力調整回路が、充電しようとしている携帯電子機器の内蔵二次電池の電池電圧を検出して、出力電圧を携帯電子機器の内蔵二次電池の充電許容電圧に変更する。出力調節回路は、ダイオード、抵抗、レギュレータ、昇圧回路等により構成される。携帯電子機器の内蔵二次電池は、製造メーカ、種類によって、その充電許容電圧が異なる場合があるため、出力調整器４００は、携帯電子機器の内蔵二次電池に適した充電許容電圧で充電を行うことができる。出力調整器４００の上面に、携帯電子機器に設けられた内蔵二次電池を充電するためのコネクタの形状に合わせた充電用接続端子を設けた場合には、各種携帯電子機器ごとに、出力調整器４００を用意することもできる。
【００２５】
図５に、充電器本体３００の充電用接続端子３０６、または、出力調整器４００の充電用接続端子４０６ａ、４０６ｂに接続されるケーブル５００と、ケーブル５００に接続される携帯電子機器用の充電用接続アダプタ５５０とを示す。ケーブル５００には、一端に、充電用接続端子３０６、４０６ａ、４０６ｂに接続されるプラグ５０１が、他端に、携帯電子機器用の充電用接続アダプタ５５０のプラグ５５１に接続される接続端子５０２が設けられている。携帯電子機器用の充電用接続アダプタ５５０には、一端に、ケーブル５００の接続端子５０２に接続されるプラグ５５１が、他端に、携帯電子機器に設けられた内蔵二次電池を充電するためのコネクタに接続するコネクタ５５２が設けられている。このコネクタ５５２を、携帯電子機器に設けられた内蔵二次電池を充電するためのコネクタの形状に対応するようにすれば、様々な携帯電子機器の内蔵二次電池を充電することができる。コネクタ５５２は、例えば、各種の携帯電話機、携帯ゲーム機、ＰＤＡ（Personal Digital Assistant）、ＭＰ３プレーヤ、デジタルカメラ、または、ＵＳＢ（Universal Serial Bus）対応とすることができる。
【００２６】
次に、充電システム１００から、電池収容ケース２００に収容された二次電池２０２の充電を行う場合について説明する。
【００２７】
図６に示すように、１つまたは複数の二次電池２０２を電池収容部２０１ａ〜２０１ｄに収容した電池収容ケース２００の接続インターフェース２０５と、充電器本体３００の接続インターフェース３０５とを嵌合し、機械的連結用のフック等により、電池収容ケース２００と充電器本体３００とを固定する。この状態で、充電器本体３００のＡＣプラグ３０２を商用電源に接続することにより、二次電池２０２を充電することができる。前述したように、二次電池２０２を充電するにあたって、スイッチ２０３ａ〜２０３ｄのオンオフを切り替えることで、選択的に二次電池の充電を行うことができる。二次電池２０２の充電が未完了の場合には、充電器本体３００のレンズ３０１ａ〜３０１ｄが赤色に表示され、充電が完了すると、緑色に表示される。二次電池２０２が満充電状態になったあとでも、自然放電される二次電池２０２を常に満充電状態に保つために、充電器本体３００から二次電池２０２に、微弱な充電電流が継続的に供給される。
【００２８】
次に、充電システム１００から、携帯電子機器の内蔵二次電池の充電を行う場合について説明する。
【００２９】
図７に示すように、１つまたは複数の二次電池２０２を電池収容部２０１ａ〜２０１ｄに収容した電池収容ケース２００の接続インターフェース２０５と、出力調整器４００の接続インターフェース３５とを嵌合し、機械的連結用のフック等により、電池収容ケース２００と出力調整器４００とを固定する。この状態で、出力調整部４００の充電用接続端子４０６ａ、４０６ｂにケーブル５００のプラグ５０１を接続し、ケーブル５００の接続端子５０２に携帯電子機器用の充電用接続アダプタ５５０のプラグ５５１を接続する。さらに、充電用接続アダプタ５５０のコネクタ５５２を、携帯電子機器に設けられた内蔵二次電池を充電するためのコネクタに挿入することで、二次電池２０２から充電電流が供給され、携帯電子機器の内蔵二次電池を充電することができる。
【００３０】
前述したように、出力調整器４００の内部に備えられた出力調整回路により、充電しようとしている携帯電子機器の内蔵二次電池の電池電圧が検出され、携帯電子機器の内蔵二次電池に適した充電許容電圧で充電を行うことができる。
【００３１】
また、携帯電子機器の内蔵二次電池の充電を行うにあたって、スイッチ２０３ａ〜２０３ｄのオンオフを切り替えることで、充電源として用いる二次電池２０２を選択することができる。
【００３２】
充電システム１００ではまた、充電器本体３００から直接、携帯電子機器の内蔵二次電池の充電を行うこともできる。この場合について、次に説明する。
【００３３】
充電器本体３００の充電用接続端子３０６にケーブル５００のプラグ５０１を接続し、ケーブル５００の接続端子５０２に携帯電子機器用の充電用接続アダプタ５５０のプラグ５５１を接続し、充電用接続アダプタ５５０のコネクタ５５２を、携帯電子機器に設けられた内蔵二次電池を充電するためのコネクタに挿入する。この状態で、充電器本体３００のＡＣプラグ３０２を商用電源に接続することにより、商用電源から充電電流が供給され、携帯電子機器の内蔵二次電池を充電することができる。
【００３４】
以上説明したように、充電器本体と、電池収容ケースと、出力調整器とを取り外し可能な構成にしたことにより、携帯性に優れた充電システムが提供される。本充電システムによれば、自宅等の商用電源が使用できる場合には、充電器本体から各種携帯電子機器の内蔵二次電池を充電することができる。一方、外出先等の商用電源が使用できない場合には、予め商用電源から充電器本体を介して電池収容ケースに収容される二次電池を充電しておくことにより、その二次電池が収容された電池収容ケースと、出力調整器とを用いて、各種携帯電子機器の内蔵二次電池を充電することができる。また、出力調整器には、充電用接続端子が２つ設けられているため、出力調整器を用いて充電を行う場合には、２つの携帯電子機器の内蔵二次電池を同時に充電することができる。
【図面の簡単な説明】
【００３５】
【図１】本考案の実施形態にかかる充電システムを示す説明図である。
【図２】電池収容ケースを示す正面からの斜視図である。
【図３】充電器本体を示す説明図であり、（ａ）は側面からの斜視図、（ｂ）は背面からの斜視図である。
【図４】出力調整器を示す説明図であり、（ａ）は正面からの斜視図、（ｂ）は側面からの斜視図である。
【図５】充電器本体の充電用接続端子、または、出力調整器の充電用接続端子に接続されるケーブルと、そのケーブルに接続される携帯電子機器用の充電用接続アダプタとを示す図である。
【図６】本実施形態にかかる充電システムから、電池収容ケースに収容された二次電池の充電を行う場合について説明する図である。
【図７】本実施形態にかかる充電システムから、携帯電子機器の内蔵二次電池の充電を行う場合について説明する図である。
【符号の説明】
【００３６】
１００  充電システム
２００  電池収容ケース
２０１ａ、２０１ｂ、２０１ｃ、２０１ｄ  電池収容部
２０２  二次電池
２０３ａ、２０３ｂ、２０３ｃ、２０３ｄ  スイッチ
２０５  接続インターフェース
３００  充電器本体
３０１ａ、３０１ｂ、３０１ｃ、３０１ｄ  レンズ
３０２  ＡＣプラグ
３０５  接続インターフェース
３０６  充電用接続端子
４００  出力調整器
４０５  接続インターフェース
４０６ａ、４０６ｂ  充電用接続端子
５００  ケーブル
５５０  充電用接続アダプタ
【図１】
0003130892.tif 000003
【図２】
0003130892.tif 000004
【図３】
0003130892.tif 000005
【図４】
0003130892.tif 000006
【図５】
0003130892.tif 000007
【図６】
0003130892.tif 000008
【図７】
0003130892.tif 000009